(57)【要約】【課題】観察範囲へ向けての送水量が制約されにくく、かつ送水範囲の設定自由度が高く、目的部位への確実かつ効率的な送水が可能な内視鏡を得る。【解決手段】挿入部の先端近傍に側方へ開口面を向けて起上台収納凹部を凹設し、起上台収納凹部に処置具用管路の先端を開口させると共に、起上台収納凹部内に起倒操作可能に起上台を支持する。処置具用管路とは別に挿入部内に設けた送水管路の先端を、挿入部の先端に近づくにつれて起上台収納凹部の開口面に近づく方向に傾斜する送出口として形成して起上台収納凹部内に開口させ、起上台を起上させたときに、送水管路の送出口から送出される送水の軌道が起上台と重なり、該起上台の送水誘導面によって送水の向きを変化させる。【選択図】図７
2015029764.tif 000002
【特許請求の範囲】
【請求項１】
挿入部の先端部近傍に側方へ開口面を向けて凹設した起上台収納凹部と、
上記挿入部内に配設されて先端が上記起上台収納凹部に開口する処置具用管路と、
上記起上台収納凹部内に上記挿入部の軸線と直交する軸を中心に起倒操作可能に支持され、上記処置具用管路に挿通された処置具の上記起上台収納凹部からの突出方向を決める起上台と、
を有する内視鏡において、
上記挿入部内に上記処置具用管路とは別の送水管路を設け、該送水管路の先端を、上記挿入部の先端に近づくにつれて上記起上台収納凹部の上記開口面に近づく方向に傾斜する送出口として上記起上台収納凹部内に開口させ、
上記起上台を起上させたときに、上記送水管路の上記送出口から送出される送水の軌道が上記起上台と重なり、該起上台の送水誘導面によって送水の向きを変化させることを特徴とした内視鏡。
【請求項２】
請求項１記載の内視鏡において、上記起上台収納凹部の上記開口面が開口する方向に観察窓を向けた側視型の光学観察部を有し、
上記起上台を起上させない初期状態で、上記送出口から送出される送水の軌道が上記起上台と重ならずに上記光学観察部の観察範囲内を通る内視鏡。
【請求項３】
請求項１または２記載の内視鏡において、上記起上台を起上させた状態で、上記送出口から送出される送水の軌道と、上記起上台における上記送水誘導面のなす角度が９０度以上である内視鏡。
【請求項４】
請求項１ないし３のいずれか１項記載の内視鏡において、上記起上台の上記送水誘導面は、上記起上台収納凹部からの上記処置具の突出方向を決める処置具誘導面と兼用される内視鏡。
【請求項５】
請求項１ないし３のいずれか１項記載の内視鏡において、上記起上台の上記送水誘導面は、上記起上台収納凹部からの上記処置具の突出方向を決める処置具誘導面とは位置を異ならせて上記起上台に形成されている内視鏡。
【請求項６】
請求項１ないし５のいずれか１項記載の内視鏡において、上記起上台収納凹部は、上記処置具用管路の先端が開口する後壁と、上記起上台の両側に位置する一対の側壁と、該一対の側壁の底部を接続し上記開口面に対向する底壁とを有しており、上記送出口が上記起上台収納凹部の上記後壁に開口している内視鏡。
【請求項７】
請求項１ないし５のいずれか１項記載の内視鏡において、上記起上台収納凹部は、上記処置具用管路の先端が開口する後壁と、上記起上台の両側に位置する一対の側壁と、該一対の側壁の底部を接続し上記開口面に対向する底壁とを有しており、上記送出口が上記起上台収納凹部の上記底壁に開口している内視鏡。
【発明の詳細な説明】
【技術分野】
【０００１】
本発明は、内視鏡に関し、特に内視鏡の挿入部先端に観察対象への送水機能を備えた内視鏡に関する。
【背景技術】
【０００２】
内視鏡において、挿入部の先端から観察範囲に送水を行って目的部位の洗浄や着色を行う、いわゆる副送水機能を備えたものがある。従来の副送水機能は、副送水用の管路（チャンネル）が挿入部の先端に前向きに開口している構造上、観察光学系が挿入部の軸線方向に沿う前方方向を観察する直視型の内視鏡に設けられており、観察光学系による観察範囲が挿入部の側方に向く側視型の内視鏡には一般的に用いられていなかった。側視型の内視鏡で専用の副送水機能の代替として、処置具を挿通させる処置具チャンネルを利用して側方の観察部位に送水を行うことが行われていた。しかし、送水時に処置具チャンネルから処置具を取り外す必要があって使用に手間がかかることや、元来送水を意図した管路構造ではないため目的の部位へ効果的に送水を到達させにくいことが問題であった。
【０００３】
特許文献１では、側視型の内視鏡において、処置具チャンネルに挿入した鉗子等の処置具を目的部位に誘導するための処置具起上機構を利用して副送水の向きを定める構成が提案されている。図１０ないし図１２に、このタイプの内視鏡の一例を示した。内視鏡の挿入部先端を構成する先端硬性部６０には、挿入部の軸線に対して側方を向く観察窓６１が設けられ、観察光学系は、観察窓６１から図中にＭ０で示す側方の範囲を観察することができる。先端硬性部６０には、観察範囲Ｍ０側に向けて開口する起上台収納凹部６２が凹設され、起上台収納凹部６２内に処置具起上機構６３が設けられている。処置具起上機構６３は、挿入部の軸線に対して直交する軸によって起上台６３ａを枢着しており、内視鏡の操作部に設けた操作手段によって起上台６３ａの起上角度を変化させることができる。図１０は起上台６３ａを起上動作させていない初期状態を示し、図１２は起上台６３ａを最大に起上させた状態を示している。
【０００４】
挿入部内には鉗子等の処置具を挿通させる管路として処置具チャンネル６４が配設され、処置具チャンネル６４の先端は起上台収納凹部６２に開口している。処置具チャンネル６４に挿入された処置具は、処置具チャンネル６４の先端開口から起上台収納凹部６２に入り、起上台６３ａの処置具誘導面６３ｂに沿って起上台収納凹部６２からの突出方向が定められる。
【０００５】
挿入部内には処置具チャンネル６４とは別に副送水チャンネル６５が配設されている。副送水チャンネル６５の先端は起上台６３ａ内に埋入され、起上台６３ａの内部には副送水チャンネル６５の先端部に連続する送出口６６が形成されている。送出口６６は、起上台６３ａ内で処置具誘導面６３ｂの下側を通って、起上台６３ａの前端部に開口している。起上台６３ａの角度変化に応じて送出口６６の向きが変化し、これによって副送水チャンネル６５を経て送出口６６から送出される副送水の向きを変更させることができる。起上台６３ａのそれぞれの角度において送出口６６から送出される副送水の方向を、図１０ないし図１２に送水軌道Ｓ０として示す。起上台６３ａのうち副送水チャンネル６５が埋入される部分には、起上台６３ａの起倒動作に際して副送水チャンネル６５との干渉を防ぐ逃げ部６３ｃが形成されている。
【先行技術文献】
【特許文献】
【０００６】
【特許文献１】特開２００１-３８９号公報
【発明の概要】
【発明が解決しようとする課題】
【０００７】
図１０ないし図１２の構成では、副送水の送水管路である副送水チャンネル６５と送出口６６が起上台６３ａの内部を通されているため、送水管路の径が制約されやすい。送水管路の径が小さいと送水量が少なく、目的部位を洗浄する際に十分な洗浄効果を得られないおそれがある。また、図１２のように起上台６３ａを起上させたときに起上台６３ａ内部での副送水チャンネル６５の屈曲角が大きくなり、副送水チャンネル６５に座屈や狭窄が生じて送水性能の低下や機能喪失が生じるおそれがある。
【０００８】
さらに、図１２のように起上台６３ａを起上させた状態で送水軌道Ｓ０が観察範囲Ｍ０を向くように送出口６６を設定すると、図１０に示すように、起上台６３ａを起上させない初期状態では送水軌道Ｓ０が観察範囲Ｍ０を外れてしまい、観察範囲Ｍ０内の目的部位に送水できない。起上台６３ａを図１１の位置まで起上させると送水軌道Ｓ０が観察範囲Ｍ０の前方領域に入るが、図１１の位置から図１２の最大起上位置までの起上台６３ａの角度範囲では、観察範囲Ｍ０に対する送水可能領域が狭く、観察範囲Ｍ０内で副送水を到達させられない領域が大きく残ってしまう。
【０００９】
本発明は、以上の問題意識に基づき、観察範囲へ向けての送水量が制約されにくく、かつ送水範囲の設定自由度が高く、目的部位への確実かつ効率的な送水を行うことが可能な内視鏡を提供することを目的とする。
【課題を解決するための手段】
【００１０】
本発明は、挿入部の先端部近傍に側方へ開口面を向けて凹設した起上台収納凹部と、挿入部内に配設されて先端が起上台収納凹部に開口する処置具用管路と、起上台収納凹部内に挿入部の軸線と直交する軸を中心に起倒操作可能に支持され、処置具用管路に挿通された処置具の起上台収納凹部からの突出方向を決める起上台とを有する内視鏡において、挿入部内に処置具用管路とは別の送水管路を設け、該送水管路の先端を、挿入部の先端に近づくにつれて起上台収納凹部の開口面に近づく方向に傾斜する送出口として起上台収納凹部内に開口させ、起上台を起上させたときに、送水管路の送出口から送出される送水の軌道が起上台と重なり、該起上台の送水誘導面によって送水の向きを変化させることを特徴としている。
【００１１】
本発明は、起上台収納凹部の開口面が開口する方向に観察窓を向けた側視型の光学観察部を有する内視鏡に好適であり、起上台を起上させない初期状態で、送出口から送出される送水の軌道が起上台と重ならずに光学観察部の観察範囲内を通るようにするとよい。
【００１２】
起上台を起上させた状態で、送出口から送出される送水の軌道と起上台の送水誘導面のなす角度を９０度以上にすることで、目的部位への効率的な送水を行いやすくなる。
【００１３】
起上台の送水誘導面を、起上台収納凹部からの処置具の突出方向を決める処置具誘導面と兼用させることで、起上台をコンパクトに保ちつつ送水の誘導を行わせることができる。あるいは、起上台において、処置具誘導面とは位置を異ならせて送水誘導面を形成して、処置具と副送水機能の同時使用を行いやすくさせてもよい。
【００１４】
処置具用管路の先端が開口する後壁と、起上台の両側に位置する一対の側壁と、該一対の側壁の底部を接続し開口面に対向する底壁とを有する起上台収納凹部に対して、送水管路の送出口は、起上台収納凹部の後壁や底壁に開口するように配置することが好ましい。
【発明の効果】
【００１５】
本発明の内視鏡では、挿入部内に処置具用管路とは別に設けた送水管路の先端を、挿入部の先端に近づくにつれて起上台収納凹部の開口面に近づく方向に傾斜する送出口として形成し、この送出口から送出された送水の向きを、起上させた起上台の送水誘導面によって変化させる。この構成によると、起上台を利用して送水方向を任意に設定しつつ、起上台の内部構造等による制約を受けずに送水管路の径を確保することができ、また起上台の動作によって送水管路に座屈や狭窄が生じるおそれもない。従って、観察範囲へ向けての送水量が不足せず、かつ送水範囲の設定自由度が高く、目的部位への確実で効率的な送水を実現できる。
【図面の簡単な説明】
【００１６】
【図１】内視鏡システムの全体構成を示す正面図である。
【図２】内視鏡と副送水装置との接続図である。
【図３】本発明を適用した実施形態の内視鏡で、処置具起上機構の起上台が初期状態にあるときの挿入部の先端硬性部の側面図である。
【図４】図３のＡ-Ａ矢線に沿う側断面図である。
【図５】図３の内視鏡で起上台を起上させたときの挿入部の先端硬性部の側面図である。
【図６】図５のＢ-Ｂ矢線に沿う側断面図である。
【図７】起上台を起上させて送水を行った状態を示す、図５のＢ-Ｂ矢線に沿う側断面図である。
【図８】副送水チャンネルの配置を異ならせた別実施形態の内視鏡で、起上台が初期状態にあるときの挿入部の先端硬性部の側断面図である。
【図９】副送水用の送水誘導面と処置具用の処置具誘導面を個別に備えた別実施形態の起上台の横断面図である。
【図１０】起上台の内部に送水管路を配した従来の内視鏡で、起上台が初期状態にある状態で送水を行ったときの挿入部の先端硬性部の側断面図である。
【図１１】同内視鏡で、起上台を途中まで起上させた状態で送水を行ったときの挿入部の先端硬性部の側断面図である。
【図１２】同内視鏡で、起上台を最大に起上させた状態で送水を行ったときの挿入部の先端硬性部の側断面図である。
【発明を実施するための形態】
【００１７】
以下、図面を参照して本発明の実施形態を説明する。図１に示す内視鏡システムは、内視鏡１とプロセッサ２を有している。内視鏡１は患者の体内に挿入されて画像の撮影や患部の処置等を行うもので、プロセッサ２に対してコネクタ３を介して着脱可能に接続される。内視鏡１は撮像素子による光電変換により画像信号を得る電子内視鏡であり、プロセッサ２は、内視鏡１から送られる画像信号を処理する画像処理回路や、内視鏡１に照明光を供給する光源や、内視鏡１への電力供給を行う電源回路等を内蔵している。図１には表れていないが、プロセッサ２には画像観察用のモニタが接続しており、プロセッサ２で処理された画像をモニタで観察する。
【００１８】
内視鏡１は、患者の体内に挿入される細径の挿入部１０と、この挿入部１０の基部に接続された操作部１１と、操作部１１から延出するユニバーサルチューブ１２とを備え、ユニバーサルチューブ１２の先端にコネクタ３を有する。挿入部１０は、前方から順に（患者の体内に挿入される順に）、先端硬性部１３と、操作部１１からの遠隔操作により屈曲する湾曲部１４と、可撓性を有する可撓管１５とを有している。操作部１１に設けた操作ノブ１６を回動操作すると湾曲部１４が屈曲される。
【００１９】
図２に示すように、内視鏡システムはさらに副送水装置４を備えている。副送水装置４は、ポンプボタンの操作により作動して送水ボトル５内の液体を副送水チューブ６に送出させるものであり、副送水チューブ６の先端がコネクタ３に設けた副送水注入口金７に接続している。
【００２０】
図３ないし図７は本発明による内視鏡の実施形態を示している。挿入部１０の先端硬性部１３は、硬質の本体部２０の外側をキャップ２１で覆って構成されており、本体部２０には、側方に開口を向けて起上台収納凹部２２が凹設されている。起上台収納凹部２２内に処置具起上機構２３が設けられ、起上台収納凹部２２の側部に観察窓２４と照明窓２５が前後に位置をずらせて設けられている。観察窓２４は観察光学系のうち最も物体側に位置する光学要素であり、観察光学系の最後部には撮像素子（図示せず）が設けられている。撮像素子を支持する基板には画像信号ケーブル（図示せず）が接続している。照明窓２５は照明光学系のうち最も物体側に位置する光学要素であり、照明窓２５の背後にライトガイドファイバ（図示せず）の出射端面が位置している。画像信号ケーブルとライトガイドファイバは、挿入部１０から操作部１１を通ってユニバーサルチューブ１２まで配設され、コネクタ３を介してプロセッサ２に接続される。画像信号ケーブルは、撮像素子で光電変換して得られた画像信号をプロセッサ２内の画像処理回路に送り、ライトガイドファイバは、プロセッサ２内の光源装置から照明窓２５へ照明光を供給する。本実施形態の内視鏡１は、観察光学系を構成する観察窓２４と照明光学系を構成する照明窓２５が先端硬性部１３の軸線（挿入部１０の挿入軸）に対して略直交する方向を向く側視型の内視鏡であり、観察光学系による前後方向の観察範囲を図４と図７にＭ１で示している。
【００２１】
挿入部１０内には、それぞれ独立した管路として、処置具チャンネル（処置具用管路）３０、送気送水チャンネル３１及び副送水チャンネル（送水管路）３２が配されている。処置具チャンネル３０は、操作部１１に設けた処置具挿入口１７（図１）に接続し、先端が起上台収納凹部２２に開口しており、鉗子等の処置具を処置具挿入口１７から挿入して起上台収納凹部２２まで導くことができる。
【００２２】
送気送水チャンネル３１は、図示を省略する送気送水装置に接続し、先端が観察窓２４と照明窓２５の後方に開口している（図３、図５）。操作部１１に設けた送気送水ボタン１８を操作すると、送気送水装置から送気送水チャンネル３１内に空気または液体が送られて、送気送水チャンネル３１の先端開口から送出される。送気送水チャンネル３１の先端開口からの送気と送水は、観察窓２４と照明窓２５の洗浄や水滴の除去に用いられる。
【００２３】
副送水チャンネル３２は、ユニバーサルチューブ１２から操作部１１を経て挿入部１０まで配設されており、ユニバーサルチューブ１２側の基端がコネクタ３の副送水注入口金７（図２）に接続し、挿入部１０側の先端が後述する送出口（送水管路）３３を介して起上台収納凹部２２に接続している。副送水装置４を作動させることで、送水ボトル５から副送水チューブ６を通して副送水チャンネル３２内に液体が送られ、送出口３３からの送水が行われる。この副送水チャンネル３２を経由した送水を副送水と呼ぶ。副送水は、観察光学系による観察部位に付着した血液や汚物等の洗浄に用いられる。
【００２４】
処置具起上機構２３は、起上台収納凹部２２内に軸２３ａで起上台２３ｂを枢着したもので、起上台２３ｂには中央が深い溝状（凹状）の誘導面（送水誘導面、処置具誘導面）２３ｃが形成されている。起上台２３ｂは処置具チャンネル３０の先端開口の前方に位置しており、処置具挿入口１７から処置具チャンネル３０に挿入した処置具（不図示）を起上台収納凹部２２内部まで押し込むと、処置具が起上台２３ｂの誘導面２３ｃに当接し、起上台収納凹部２２からの処置具の突出方向が誘導面２３ｃによって定められる。起上台２３ｂは、図３及び図４に示す初期状態から図５及び図６に示す最大起上位置まで、軸２３ａを中心として起倒動作させることができ、起上台２３ｂの角度変化に応じて処置具の突出方向が変化する。操作部１１に設けられる起上台２３ｂの起倒操作機構は周知であり、その図示を省略している。
【００２５】
起上台収納凹部２２は、先端硬性部１３の側方（起上台２３ｂの起上方向）に向けて開放させて凹設した凹部であり、処置具チャンネル３０と副送水チャンネル３２の先端が開口する後壁２２ａと、後壁から先端硬性部１３の軸線方向に延びて起上台２３ｂの両側に位置する一対の側壁２２ｂと、一対の側壁２２ｂの底部を接続する底壁２２ｃと、底壁２２ｃの前方に位置して先端硬性部１３の最先端部を構成する前壁２２ｄとを有し、底壁２２ｃに対向する部分が先端硬性部１３の側方に向けて開放される開口面２２ｅとなっている。
【００２６】
図４に示すように、起上台２３ｂの誘導面２３ｃは、起上台２３ｂを起上させない初期状態において、挿入部１０の先端側に向かうにつれて起上台収納凹部２２の底壁２２ｃ側から開口面２２ｅ側に進む方向の傾斜が与えられている。起上台２３ｂを起上させていくと、挿入部１０の軸線に対する誘導面２３ｃの傾斜角が徐々に大きくなり、図６や図７のように起上台２３ｂを最大に起上させると、誘導面２３ｃが起上台収納凹部２２の後壁２２ａに接近して対向する。
【００２７】
処置具チャンネル３０と副送水チャンネル３２はそれぞれ、挿入部１０内で該挿入部１０の軸線に沿う方向に配設されており、先端硬性部１３内では、起上台収納凹部２２の深さ方向において副送水チャンネル３２が処置具チャンネル３０よりも浅い位置（開口面２２ｅに近い位置）に位置している。図３と図５に示すように、起上台２３ｂの横幅方向における位置関係としては、誘導面２３ｃの最も深い箇所（起上台２３ｂの横幅方向の略中央）の後方に副送水チャンネル３２が位置している。
【００２８】
図４、図６及び図７に示すように、副送水チャンネル３２のうち起上台収納凹部２２に接続する先端部分は、後壁２２ａ（挿入部１０の先端側）に近づくにつれて底壁２２ｃ側から開口面２２ｅ側に向けて進むように斜設された送出口３３に接続している。そのため、副送水チャンネル３２から送出される副送水の軌道である基準送水軌道Ｓ１（図４）は、送出口３３を延長した斜め前方に向かう。起上台２３ｂを起上させていない処置具起上機構２３の初期状態（図３、図４）では、基準送水軌道Ｓ１上に起上台２３ｂが位置せず、副送水チャンネル３２からの副送水は方向を変えずに、基準送水軌道Ｓ１に沿って進む。基準送水軌道Ｓ１は、観察光学系による観察範囲Ｍ１内を通り、特に観察範囲Ｍ１の最前方の領域を通るように設定されている。
【００２９】
図５ないし図７は、起上台２３ｂを最大に起上させた状態を示している。起上動作によって起上台２３ｂは後壁２２ａに近づき、基準送水軌道Ｓ１上に起上台２３ｂが進出して基準送水軌道Ｓ１と誘導面２３ｃが交差する関係になる。すると、図７に示すように、基準送水軌道Ｓ１に沿う送水は起上台２３ｂの誘導面２３ｃに当たって方向を変えられ、該誘導面２３ｃに沿う最大起上送水軌道Ｓ２で送出される。最大起上送水軌道Ｓ２は、観察光学系による観察範囲Ｍ１内にあり、特に観察範囲Ｍ１の最後方に近い領域を通るように設定されている。
【００３０】
起上台２３ｂが最大起上角度よりも小さい角度で起上されているときは、その起上角度に応じて誘導面２３ｃの向きが変化し、起上台２３ｂ（誘導面２３ｃ）の角度変化に応じて、基準送水軌道Ｓ１から最大起上送水軌道Ｓ２までの任意の方向に副送水の送水軌道を設定することができる。なお、誘導面２３ｃによって副送水の送出方向を確実に設定させるための条件として、基準送水軌道Ｓ１の方向Ｄ１（図６）と誘導面２３ｃの延設方向Ｄ２（図６）とのなす角度θ（図６）が９０度よりも小さくなると、誘導面２３ｃに沿うスムーズな送水が阻害されるおそれがあるため、角度θを９０度以上とすることが好ましい。本実施形態では、起上台２３ｂの可動域のうち角度θが最も小さくなる図６の最大起上角度でも角度θが９０度よりも大きく、観察範囲Ｍ１のどの方向にも効果的な送水を行うことができる。
【００３１】
図８は、処置具チャンネル３０の下側（起上台収納凹部２２の底壁２２ｃに近い側）に副送水チャンネル（送水管路）１３２を配置した別実施形態を示している。副送水チャンネル１３２の先端に連続する送出口（送水管路）１３３は、処置具起上機構２３の軸２３ａ近傍の底壁２２ｃ上に開口しており、送出口１３３を延長した基準送水軌道Ｓ１１は、起上台収納凹部２２の底壁２２ｃ側から開口面２２ｅ側に向けて斜め前方に向かう。図８は起上台２３ｂを起上させていない初期状態を示しており、このとき基準送水軌道Ｓ１１は観察光学系による観察範囲Ｍ１内を通り、特に観察範囲Ｍ１の最前方に近い領域を通るように設定されている。図８の状態から起上台２３ｂを起上させると、基準送水軌道Ｓ１１上に起上台２３ｂが進出し、基準送水軌道Ｓ１１に沿う副送水の方向を、起上台２３ｂの誘導面２３ｃによって変更させることができる。起上台２３ｂの起上角度を大きくするにつれて、副送水の送出方向が観察範囲Ｍ１の後方に近づく。この実施形態でも、副送水チャンネル１３２と送出口１３３を通る十分な送水量を確保しながら、起上台２３ｂの起上動作を利用して観察範囲Ｍ１の大部分に副送水を到達させることができる。
【００３２】
以上のように、本発明を適用した内視鏡では、挿入部１０の先端硬性部１３内で本体部２０にのみ副送水チャンネル３２、１３２と送出口３３、１３３を設け、処置具起上機構２３の起上台２３ｂが起上していない初期状態で送出口３３、１３３から送出される副送水の基準送水軌道Ｓ１、Ｓ１１を観察範囲Ｍ１内に位置させ、起上台２３ｂの起上動作により誘導面２３ｃに副送水が当たることで送水軌道が変化する。この構成によると、起上台２３ｂ内部に副送水チャンネル３２、１３２や送出口３３、１３３が配設されていないため、これらの管路径が制約されにくく、また、起上台２３ｂを起上動作させたときに副送水チャンネル３２、１３２や送出口３３、１３３の狭窄や座屈が生じるおそれがない。さらに、起上台２３ｂを起上させない状態でも観察範囲Ｍ１内への送水が可能であり、観察範囲Ｍ１内での送水可能領域が広く確保できる。従って、送水量が不足することなく、目的部位への確実な送水を行うことができる。
【００３３】
以上の各実施形態では、起上台２３ｂを用いて副送水の送出方向を変化させる際に、副送水を当てる面として誘導面２３ｃを用いるため、副送水機能の使用時には誘導面２３ｃ上に処置具が載置されていない状態にすることが望ましい。但し、処置具の使用状態から副送水を行う場合、処置具全体を処置具チャンネル３０から引き抜く必要はなく、起上台収納凹部２２内に処置具が突出しないようにわずかに引くのみでよい。
【００３４】
異なる実施形態として、図９に横断面形状を示す起上台４０のように、副送水を案内する送水誘導面４１と処置具を案内する処置具誘導面４２とを個別に備えてもよい。この形態では、処置具誘導面４２上に処置具を載せながら送水誘導面４１に副送水を当てることができるため、処置具と副送水機能の同時使用が可能である。
【００３５】
以上、図示実施形態に基づき説明したが、本発明は実施形態に限定されるものではない。例えば、実施形態の内視鏡は観察手段として側視型の観察光学部を有するが、これに加えて超音波断層像を得る超音波プローブを挿入部先端に有する内視鏡にも適用が可能である。また、挿入部の軸線に対して斜め前方を観察する斜視型の観察光学部を備えた内視鏡にも適用が可能である。このような斜視型の内視鏡においても、本発明を適用することで、観察範囲の目的部位への確実で効率的な送水を実現できる。
【符号の説明】
【００３６】
１  内視鏡
２  プロセッサ
３  コネクタ
４  副送水装置
５  送水ボトル
６  副送水チューブ
７  副送水注入口金
１０  挿入部
１１  操作部
１２  ユニバーサルチューブ
１３  先端硬性部
１４  湾曲部
１５  可撓管
１６  操作ノブ
１７  処置具挿入口
１８  送気送水ボタン
２０  本体部
２１  キャップ
２２  起上台収納凹部
２２ａ  後壁
２２ｂ  側壁
２２ｃ  底壁
２２ｄ  前壁
２２ｅ  開口面
２３  処置具起上機構
２３ａ  軸
２３ｂ  起上台
２３ｃ  誘導面（送水誘導面、処置具誘導面）
２４  観察窓
２５  照明窓
３０  処置具チャンネル（処置具用管路）
３１  送気送水チャンネル
３２  １３２  副送水チャンネル（送水管路）
３３  １３３  送出口（送水管路）
４０  起上台
４１  送水誘導面
４２  処置具誘導面
Ｍ１  観察範囲
Ｓ１  Ｓ１１  基準送水軌道
Ｓ２  最大起上送水軌道
【図１】
2015029764.tif 000003
【図２】
2015029764.tif 000004
【図３】
2015029764.tif 000005
【図４】
2015029764.tif 000006
【図５】
2015029764.tif 000007
【図６】
2015029764.tif 000008
【図７】
2015029764.tif 000009
【図８】
2015029764.tif 000010
【図９】
2015029764.tif 000011
【図１０】
2015029764.tif 000012
【図１１】
2015029764.tif 000013
【図１２】
2015029764.tif 000014